(57)【要約】【課題】単にテレビの鑑賞を可能にするだけでなく、遊技場内で興趣に富んだプロモーションを遊技者個々に対して行えるシステムを構築可能とする。【解決手段】島４の複数の遊技台２０ごとに液晶モニタ１０を、台間機２１を利用して取り付ける。取り付け位置は遊技台２０の上部としてあるが、高さ方向中央部でも良い。そして例えば液晶モニタ１０の表示内容を、遊技台２０に関して遊技台の製造者等が制作した新台導入プロモーション用のビデオ画像とする。機種選定検討後、新規導入までの間、遊技台メーカーが制作したプロモーションビデオを液晶モニタ１０に適時映し出すことにより、遊技者には新台がもうすぐ導入されることが周知徹底され、口伝えや貼り紙などに頼っていた従来に比べ、新騎手導入効果が増大する。【選択図】図２
2008005868.tif 000002
【特許請求の範囲】
【請求項１】
テレビ放送受信系と、
店側コンテンツ送出系と、
テレビ放送受信系から出力されるＴＶ信号と、
前記店側コンテンツ送出系から出力されるＡＶ信号とを混合する混合手段と、
複数の遊技台からなる島ごとに設けられ、
前記混合手段から送出される信号を受けるとともに前記テレビ放送受信系からのＴＶ信号と前記店側コンテンツ送出系からのＡＶ信号を分配する島テレビ系と、
該島テレビ系から分配された前記店側コンテンツ送出系からのＡＶ信号を受けるとともに前記店側コンテンツ送出系からＴＶ／ＡＶ切り替え信号を受ける島ＡＶ系と、
前記島テレビ系のＴＶ分岐器を介して前記ＴＶ信号を受け、また前記島ＡＶ系のＡＶ分配機を介して前記ＡＶ信号を受ける液晶モニタとからなり、
前記液晶モニタを前記島を構成する前記複数の遊技台ごとに設け、
前記店側コンテンツ送出系にはＴＶ／ＡＶ切り替え手段を設けてなり、前記複数の遊技台の制御とは関係なしに前記液晶モニタの表示内容を変化させ得るようにしてなることを特徴とする遊技場用の画像表示システム。
【請求項２】
請求項１の遊技場用の画像表示システムにおいて、前記店側コンテンツ送出系からの前記ＡＶ信号による前記液晶モニタの表示内容が、前記遊技台に関して該遊技台の製造者等が制作した新台導入プロモーション用のビデオ画像であることを特徴とする遊技場用の画像表示システム。
【請求項３】
請求項１の遊技場用の画像表示システムにおいて、前記店側コンテンツ送出系からの前記ＡＶ信号による前記液晶モニタの表示内容が、前記遊技台に関する使用方法などの遊技情報提示用のビデオ画像であることを特徴とする遊技場用の画像表示システム。
【請求項４】
請求項１の遊技場用の画像表示システムにおいて、前記店側コンテンツ送出系からの前記ＡＶ信号による前記液晶モニタの表示内容が、設置された店の営業情報等のプロモーション用のビデオ画像であることを特徴とする遊技場用の画像表示システム。
【請求項５】
請求項１から４のいずれかの遊技場用の画像表示システムにおいて、前記液晶モニタを一の遊技台の上部でかつ隣り合う他の遊技台との間の位置に設けてなることを特徴とする遊技場用の画像表示システム。
【請求項６】
請求項１から４のいずれかの遊技場用の画像表示システムにおいて、前記液晶モニタを一の遊技台の高さ方向で略中央部でかつ隣り合う他の遊技台との間の位置に設けてなることを特徴とする遊技場用の画像表示システム。
【請求項７】
請求項１から６のいずれかの遊技場用の画像表示システムにおいて、前記液晶モニタがＴＶ／ＡＶ切り替えスイッチを有し、遊技客の好みに応じて表示内容を切り替え可能なことを特徴とする遊技場用の画像表示システム。
【請求項８】
請求項１から７のいずれかの遊技場用の画像表示システムにおいて、前記液晶モニタが電源スイッチ、ＴＶ受信チャンネル切り替えスイッチ等を有することを特徴とする遊技場用の画像表示システム。
【発明の詳細な説明】
【技術分野】
【０００１】
本発明は、遊技台に対して１対１で対応して液晶表示装置を設けることによって遊技場用設備の利便性を向上させるための新規なプロモーションを行える遊技場用の画像表示システムに関する。
【背景技術】
【０００２】
近年、パチンコやスロット等のパーラーと称する遊技場では遊技客に対するサービスとして、遊技台を操作しながらテレビでニュースやスポーツを観賞することができるようにすることが行われている（例えば特許文献１参照）。また台間玉貸機または台間メダル貸機等の既存の遊技台附属設備にテレビ体を簡単に取り付けられるようにする技術も提案されている（例えば、特許文献２参照。）。さらには台間玉貸機と一体にテレビを設ける技術も提案されている（例えば、特許文献３参照。）。
【０００３】
また、パチンコ台の設置されている空きスペースを利用し、このスペースに、画像のディスプレイ装置を設け、遊技中に店内の遊技情報、例えば、優秀台その他の情報の表示等をしたり、テレビジョン放送の画像を表示したりする技術も提案されている（例えば、特許文献４参照。）。
【０００４】
【特許文献１】特開平８−１３１６４８号公報
【特許文献２】実用登録３１０６５９７号公報
【特許文献３】特開平９−１９２３３９号公報
【特許文献４】実用登録３０４２８９０号公報
【発明の開示】
【発明が解決しようとする課題】
【０００５】
しかしながら従来の上述のような特許文献１〜３の技術は、単にテレビ画面を観賞することができる、画面を見やすくするといったものであり、特許文献４のシステムのように、テレビ放送の画像と遊技場としての情報との双方を表示できるものではなかった。
【０００６】
一方、特許文献４のシステムは、各パチンコ台をホールコンピュータが管理することを前提としている技術のため、画面を見るには会員カードを挿入する等の操作が必要で、当該遊技場の会員である遊技者には多機能なサービスを受けられるものの、そうでない遊技者には画像を見ることすらできないか、あるいは一方的にパチンコ店側の恣意的な画像を見せられるだけになっていた。さらには、遊技者の不正防止を兼ねるために、設置箇所がパチンコ台の上部側に下向きに取り付けることに限定されてもいた。
【０００７】
さらに、近年のパーラーでは、遊技台が面白そうか否かの機種選定が顧客である遊技者へのプロモーションとして重要であり、それ以外には遊技者に対するプロモーションはあまり行われていなかったというのが実状であるが、建物の外観、外部へ流す音楽等々の別途の意味でのプロモーションが環境政策などにより規制されつつある現状では、遊技者に対するプロモーションは上述のように機種選定以外にはなくなりつつあった。
【０００８】
本発明は、上述した従来の問題点にかんがみ、単にテレビの鑑賞を可能にするだけでなく、遊技場内で興趣に富んだプロモーションを遊技者個々に対して行えるシステムを提供することを目的とする。
【課題を解決するための手段】
【０００９】
本発明の請求項１に係る遊技場用の画像表示システムは、テレビ放送受信系と、店側コンテンツ送出系と、テレビ放送受信系から出力されるＴＶ信号と、前記店側コンテンツ送出系から出力されるＡＶ信号とを混合する混合手段と、複数の遊技台からなる島ごとに設けられ、前記混合手段から送出される信号を受けるとともに前記テレビ放送受信系からのＴＶ信号と前記店側コンテンツ送出系からのＡＶ信号を分配する島テレビ系と、該島テレビ系から分配された前記店側コンテンツ送出系からのＡＶ信号を受けるとともに前記店側コンテンツ送出系からＴＶ／ＡＶ切り替え信号を受ける島ＡＶ系と、前記島テレビ系のＴＶ分岐器を介して前記ＴＶ信号を受け、また前記島ＡＶ系のＡＶ分配機を介して前記ＡＶ信号を受ける液晶モニタとからなり、前記液晶モニタを前記島を構成する前記複数の遊技台ごとに設け、前記店側コンテンツ送出系にはＴＶ／ＡＶ切り替え手段を設けてなり、前記複数の遊技台の制御とは関係なしに前記液晶モニタの表示内容を変化させ得るようにしてなることを特徴とする。
【００１０】
同請求項２に係るものは、請求項１の遊技場用の画像表示システムにおいて、前記店側コンテンツ送出系からの前記ＡＶ信号による前記液晶モニタの表示内容が、前記遊技台に関して該遊技台の製造者等が制作した新台導入プロモーション用のビデオ画像であることを特徴とする。
【００１１】
同請求項３に係るものは、請求項１の遊技場用の画像表示システムにおいて、前記店側コンテンツ送出系からの前記ＡＶ信号による前記液晶モニタの表示内容が、前記遊技台に関する使用方法などの遊技情報提示用のビデオ画像であることを特徴とする。
【００１２】
同請求項４に係るものは、請求項１の遊技場用の画像表示システムにおいて、前記店側コンテンツ送出系からの前記ＡＶ信号による前記液晶モニタの表示内容が、設置された店の営業情報等のプロモーション用のビデオ画像であることを特徴とする。
【００１３】
同請求項５に係るものは、請求項１から４のいずれかの遊技場用の画像表示システムにおいて、前記液晶モニタを一の遊技台の上部でかつ隣り合う他の遊技台との間の位置に設けてなることを特徴とする。
【００１４】
同請求項６に係るものは、請求項１から４のいずれかの遊技場用の画像表示システムにおいて、前記液晶モニタを一の遊技台の高さ方向で略中央部でかつ隣り合う他の遊技台との間の位置に設けてなることを特徴とする。
【００１５】
同請求項７に係るものは、請求項１から６のいずれかの遊技場用の画像表示システムにおいて、前記液晶モニタがＴＶ／ＡＶ切り替えスイッチを有し、遊技客の好みに応じて表示内容を切り替え可能なことを特徴とする。
【００１６】
同請求項８に係るものは、請求項１から７のいずれかの遊技場用の画像表示システムにおいて、前記液晶モニタが電源スイッチ、ＴＶ受信チャンネル切り替えスイッチ等を有することを特徴とする。
【発明の効果】
【００１７】
本発明は、単にテレビの鑑賞を可能にするだけでなく、遊技場内で興趣に富んだプロモーションを遊技者個々に対して行えるシステムを構築できる。
【発明を実施するための最良の形態】
【００１８】
以下本発明を実施するための最良の形態を、図に示す実施例を参照して説明する。なお以下では、
【実施例１】
【００１９】
図１は本発明に係る技場用の画像表示システムの概要図である。本実施例の遊技場用の画像表示システムは、例えば既設のテレビ放送受信系１と、事務所やカウンタ等に備える店側コンテンツ送出系２と、テレビ放送受信系１から出力されるＴＶ信号と、店側コンテンツ送出系２から出力されるＡＶ信号とを混合する混合器３と、複数の遊技台（後述する）から構成する島４ごとに設けられ、混合器３から送出される信号を受けるとともにテレビ放送受信系１からのＴＶ信号と店側コンテンツ送出系２からのＡＶ信号を分配する島テレビ系５と、島テレビ系５で分配された店側コンテンツ送出系２からのＡＶ信号を受けるとともに店側コンテンツ送出系２からＴＶ／ＡＶ切り替え信号を受ける島ＡＶ系６と、島テレビ系５のＴＶ分岐器７を介してＴＶ信号を受け、また島ＡＶ系６のＡＶ分配機８を介してＡＶ信号を受ける液晶モニタ１０とからなり、液晶モニタ１０を、島４を構成する複数の遊技台ごとに設け、店側コンテンツ送出系２にはＴＶ／ＡＶ切り替え手段としてＴＶ／ＡＶ切り替えスイッチ９を設けて構成してある。そして液晶モニタ１０の表示内容は、複数の遊技台の制御とは関係なしに変化させ得るようにして構成してある。
【００２０】
図示の例では、テレビ放送受信系１はテレビアンテナ１１等の周知の構成を有し、店側コンテンツ送出系２はモニタ１２、ＡＶ機器（ＤＶＤ機器、コンピュータ等）１３、ＡＶ信号の変換器１４等を有する。また島テレビ系５は、混合器３から入力する信号のブースタ１５を有し、島ＡＶ系６はその出力信号を受ける変換機１６を備えている。なお図中１７は液晶モニタ１０のＡＣアダプタである。
【００２１】
図２は前述の遊技場用の画像表示システムを用いたシステムにおいて、島４を構成する複数の遊技台２０ごとに液晶モニタ１０を設けた例を示す。この例では、一つの遊技台２０の上部でかつ隣り合う他の遊技台２０との間の位置（一般的には、玉貸し、メダル貸し等用の台間機２１と称する機器が設けられているが、それらとの隙間に公知の方法で取り付けて設けてある。
【００２２】
図３は同じく前述の遊技場用の画像表示システムにおいて、島４を構成する複数の遊技台２０ごとに液晶モニタ１０を設けた例であって、かつ液晶モニタ１０を一の遊技台２０の高さ方向で略中央部に設けた例を示す。なおこの例でも隣り合う他の遊技台２０との間の台間機２１との隙間に公知の方法で取り付けて設けてある。
【００２３】
このようなモニタの取り付け方については種々提案がなされており、本発明では適当なものを採択すればよいので、図示および詳細な説明は省略する。また遊技台２０も、パチンコ台、パチスロ台等々種々の称され方をしている遊技台であり、その構成は公知であるので説明は省略する。
【００２４】
また使用する液晶モニタとしては、例えば本願出願人が製造販売する「美ＭＩＭＥＹＯＩ：登録商標」と称するものが使用に適している。ＴＶ／ＡＶ切り替えスイッチを有するので（後述する図４等に符号２２で示す）、遊技者が好みに応じて自分で表示内容を切り替え得るためである。
【実施例２】
【００２５】
図４は、店側コンテンツ送出系２からのＡＶ信号による液晶モニタ１０の表示内容が、遊技台２０に関して遊技台の製造者等が制作した新台導入プロモーション用のビデオ画像である例を示す。例えば、遊技場において新台に入れ替えるための機種選定検討が終わり、新規に導入する機種が決まっても、即時に遊技台を入れ替えることができるわけではない。例えば１ヶ月ほど掛かるのが通例である。入れ替えに至るまでの間、遊技台メーカーが制作したプロモーションビデオを液晶モニタ１０に適時映し出すことにより、遊技者には新台がもうすぐ導入されることが周知徹底され、口伝えや貼り紙などに頼っていた従来に比べ、新騎手導入効果が増大する。なお図中２３はボリュームコントローラ、２４はチャンネルコントローラ、２５は電源スイッチであり、遊技者が液晶モニタ１０のオン、オフと自分で操作できるようにすることも可能であり、またこのスイッチを操作できないようにして店側のみが表示内容を切り替え得るようにしてもよい。
【実施例３】
【００２６】
図５は店側コンテンツ送出系２からのＡＶ信号による液晶モニタ１０の表示内容が、遊技台２０に関する使用方法などの遊技情報提示用のビデオ画像である例を示す。新機種で登場するキャラクターなどのプロモーションが可能になるとともに、新機種が備える遊技情報やデータを使用し、例えばリーチアクション等の遊技台特有の遊び方や特徴を遊技者にわかりやすく知らせることが可能になる。なお図示の例は、確率変動による「大当たり状況」への移行に対していわゆる「リーチ」が掛かっている状態の一例を示してある。
【実施例４】
【００２７】
図６は店側コンテンツ送出系２からのＡＶ信号により、液晶モニタ１０に店舗のアピール画像を表示している状態を示す図である。例えば店舗の営業情報システムの基本情報、ホームページのアピール、ＵＲＬの表示等々の表示が行える。
【００２８】
なお店側コンテンツ送出系２のＴＶ／ＡＶ切り替えスイッチ９の操作により、複数の島４に取り付けてあるすべての液晶モニタ１０・・・に同時に同じ映像を流したり、多数の液晶モニタ１０で表示されている映像を一括して他の映像に切り替えたり、さらにはテレビ放送受信系１で受信した一般的なあるいはケーブルテレビシステム等によるテレビ画像を表示させることも可能である。
【００２９】
なお本発明を以上の説明では遊技場用の画像表示システムとして説明してきたが、本発明は、例えば家電等の量販店、ＤＶＤレンタルや書店などの大型専門店、飲食店などのチェーン店、エステサロン等の美容、健康系のチェーン店等の施設用としても採用することができることは明らかであり、図示の実施例並びに上述の説明にように遊技場には限定されない。遊技場という言葉は、広く同等の場所を示すものとして解釈されるべきである。また表示する情報も、遊技台や店に関係するものだけでなく、地域情報、気候情報、プレゼント情報、公共情報等々多くの種類の情報に対応でき、図示し、説明したものには限定されない。またなお、当然ながら本発明のシステムで表示するものは、動画のみならず静止画であっても良い。したがって本明細書において画像を言うときは、基本的には動画、静止画の双方を含むものとする。
【図面の簡単な説明】
【００３０】
【図１】本発明に係る技場用の画像表示システムの概要図
【図２】遊技場用の画像表示システムを用いたシステムにおいて、島を構成する複数の遊技台ごとに液晶モニタを設けた例を示す図
【図３】島を構成する複数の遊技台ごとに液晶モニタを設けた例であって、かつ液晶モニタを一の遊技台の高さ方向で略中央部に設けた例を示す図
【図４】液晶モニタの表示内容が、遊技台に関して遊技台の製造者等が制作した新台導入プロモーション用のビデオ画像である例を示す図
【図５】液晶モニタの表示内容が、遊技台に関する使用方法などの遊技情報提示用のビデオ画像である例を示す図
【図６】店側コンテンツ送出系からのＡＶ信号により、液晶モニタに店舗のアピール画像を表示している状態を示す図
【符号の説明】
【００３１】
１：テレビ放送受信系
２：店側コンテンツ送出系
３：混合器
４：島
５：島テレビ系
６：島ＡＶ系
７：ＴＶ分岐器
８：ＡＶ分配機
９：ＴＶ／ＡＶ切り替えスイッチ
１０：液晶モニタ
１１：テレビアンテナ
１２：モニタ
１３：ＡＶ機器（ＤＶＤ機器、コンピュータ等）
１４：変換器
１５：ブースタ
１６：変換機
１７：液晶モニタのＡＣアダプタ
２０：遊技台
２１：台間機
２２：液晶モニタのＴＶ／ＡＶ切り替えスイッチ
２３：ボリュームコントローラ
２４：チャンネルコントローラ
２５：電源スイッチ
【図１】
2008005868.tif 000003
【図２】
2008005868.tif 000004
【図３】
2008005868.tif 000005
【図４】
2008005868.tif 000006
【図５】
2008005868.tif 000007
【図６】
2008005868.tif 000008